(57)【要約】      （修正有）【課題】案内面に対して挿脱筐体が挿入開始位置に載置されたことを作業者が感知できるとともに、案内面に沿って挿脱筐体を規定位置まで挿入完了したことを作業者が感知できる通信装置の筐体構造を提供する。【解決手段】通信装置の筐体構造１０は、案内部における挿脱筐体１３の挿脱方向手前側に設けられた手前側第１係合凹部１５と、案内部における挿脱筐体１３の挿脱方向奥側に設けられた奥側第１係合凹部１６と、挿脱筐体１３の底板３１における挿脱方向奥側に設けられて手前側第１係合凹部１５および奥側第１係合凹部１６に対して係合可能な奥側第２係合部１８と、挿脱筐体１３の底板における挿脱方向手前側に設けられて手前側第１係合部１５に対して係合可能な手前側第２係合部１９とを有している。【選択図】図４
2007258231.tif 000002
【特許請求の範囲】
【請求項１】
ラックと、
前記ラックに設けられた略水平な上向きの案内面と、
前記案内面に沿って挿脱可能であるとともに通信回路が収納された挿脱筐体とを備える通信装置の筐体構造であって、
前記案内面に設けられた第１係合部と、
前記挿脱筐体の下面に設けられて前記第１係合部に対して係合可能な第２係合部とを有していることを特徴とする通信装置の筐体構造。
【請求項２】
前記案内面における前記挿脱筐体の挿脱方向手前側および挿脱方向奥側に設けられた手前側第１係合部および奥側第１係合部と、
前記挿脱筐体の下面における挿脱方向奥側に設けられて前記手前側第１係合部および前記奥側第１係合部に対して係合可能な第２係合部とを有していることを特徴とする請求項１に記載の通信装置の筐体構造。
【請求項３】
前記第２係合部を複数有し、前記第２係合部が前記挿脱筐体の下面における挿脱方向手前側に設けられていることを特徴とする請求項２に記載の通信装置の筐体構造。
【請求項４】
前記第２係合部が前記下面から離れる方向に突出する突状であるとともに、前記手前側第１係合部および前記奥側第１係合部が第２係合部を収容可能な凹部であることを特徴とする請求項２に記載の通信装置の筐体構造。
【請求項５】
前記第２係合部が転動部材であることを特徴とする請求項２に記載の通信装置の筐体構造。
【請求項６】
前記転動部材の直径寸法よりも前記凹部の最小開口寸法が大きいことを特徴とする請求項２に記載の通信装置の筐体構造。
【発明の詳細な説明】
【技術分野】
【０００１】
本発明は、ラックに略水平な上向きの案内面を設け、この案内面に沿って挿脱可能であるとともに通信回路が収納された挿脱筐体とを備えた通信装置の筐体構造に関する。
【背景技術】
【０００２】
図１１は携帯電話の基地局として用いられる通信装置の筐体構造を説明する図である。通信装置の筐体構造１００は、外枠を構成する枠状のラック１０１を備え、このラック１０１の両側にレール１０２が略水平な上向きで奥行き方向に延びるように設けられ、両側のレール１０２に案内されて箱状の挿脱部材（挿脱筐体）１０３が挿脱可能にラック１０１内に収納されている。
挿脱部材１０３の内部には通信回路を搭載した基板（図示せず）が収納されている。
【０００３】
作業者は、挿脱部材１０３における下面１０４の挿脱方向奥側端部１０４Ａを各レール１０２における挿脱方向手前側端部１０２Ａに載せ、次いで下面１０４を各レール１０２に対して摺接させながら挿脱部材１０３を規定位置まで挿入する。
規定位置まで挿入した後、挿脱部材１０３の手前側側面に設けられた一対のリブ１０５をラック１０１にボルト１０６を介して固定する。
【０００４】
なお、挿脱部材を挿入する際の摺接抵抗を緩和するために、スライド可能なマウントフレームがラックに固定された収容ラックにおける電子機器保持構造が提案されている（特許文献１参照）。
【特許文献１】特開２０００−３１６７３号公報
【発明の開示】
【発明が解決しようとする課題】
【０００５】
ところで、近年、挿脱部材が大型化しつつあり、作業者がラック１０１に対する規定位置に挿脱部材を挿入するにあたって、挿脱部材１０３の下面１０４が各レール１０２に乗ったことを視認できない場合がある。
また、挿脱部材１０３をラック１０１内に挿入した際に、挿脱部材１０３を規定位置まで挿入できたことも視認できない。
【０００６】
このように、挿脱部材１０３の下面１０４が各レール１０２に乗ったことを視認できない場合や、挿脱部材１０３を規定位置まで挿入できたことを視認できないことがあるので、挿脱部材１０３をラック１０１に挿入する際の作業性が悪い。
【０００７】
特許文献１の電子機器保持構造は、スライド可能なマウントフレームをラックに固定することで、挿脱部材を挿入する際の摺接抵抗を緩和することが可能であるが、ベアリングを多用しているためコストが高いという問題がある。
【０００８】
本発明は、上述した従来の問題を解決するためになされたものであり、その第１の目的は、案内面に対して挿脱筐体が挿入開始位置に載置されたことを作業者が感知できる通信装置の筐体構造を提供することにある。
また、本発明の第２の目的は、案内面に沿って挿脱筐体を規定位置まで挿入完了したことを作業者が感知できる通信装置の筐体構造を提供することにある。
【課題を解決するための手段】
【０００９】
本発明の通信装置の筐体構造は、ラックと、前記ラックに設けられた略水平な上向きの案内面と、前記案内面に沿って挿脱可能であるとともに通信回路が収納された挿脱筐体とを備える通信装置の筐体構造であって、前記案内面に設けられた第１係合部と、前記挿脱筐体の下面に設けられて前記第１係合部に対して係合可能な第２係合部とを有していることを特徴とする。
【００１０】
前述した第１の目的を達成するために、案内面における挿脱方向手前側に第１係合部を設けるとともに、挿脱筐体の下面における挿脱方向奥側に第２係合部を設ける構造等を例示できる。
一方、前述した第２の目的を達成するために、案内面における挿脱方向手前側に第１係合部を設けるとともに、挿脱筐体の下面における挿脱方向手前側に第２係合部を設ける構造や、あるいは案内面における挿脱方向奥側に第１係合部を設けるとともに、挿脱筐体の下面における挿脱方向奥側に第２係合部を設ける構造等を例示できる。
【００１１】
このような本発明においては、それぞれ適切な位置に設けられた第１係合部および第２係合部が互いに係合することにより、案内面に対して挿脱筐体が挿入開始位置に載置されたことや、あるいは案内面に沿って挿脱筐体を規定位置まで挿入完了したことを作業者が感知できることになる。
【００１２】
また、本発明は、前記案内面における前記挿脱筐体の挿脱方向手前側および挿脱方向奥側に設けられた手前側第１係合部および奥側第１係合部と、前記挿脱筐体の下面における挿脱方向奥側に設けられて前記手前側第１係合部および前記奥側第１係合部に対して係合可能な第２係合部とを有していることを特徴とする。
【００１３】
このような本発明においては、案内面に手前側第１係合部および奥側第１係合部が設けられているとともに、挿脱筐体の下面における挿脱方向奥側に第２係合部が設けられているため、作業者が挿脱筐体を持ち上げて案内面に載置させると、第２係合部が手前側第１係合部に係合し、これにより案内面に対して挿脱筐体が挿入開始位置に載置されたことを感知できることになる。
次いで、作業者が挿脱筐体を案内面に沿って奥に挿入すると、第２係合部が奥側第１係合部に係合し、これにより挿脱筐体が規定位置まで挿入完了したことを感知できることになる。
すなわち、このように構成された本発明においては、前述した第１の目的および第２の目的を同時に達成できることになる。
【００１４】
また、本発明は、前記第２係合部を複数有し、前記第２係合部が前記挿脱筐体の下面における挿脱方向手前側に設けられていることを特徴とする。
【００１５】
よって、第２係合部を挿脱方向奥側と挿脱方向手前側との両側に設けることで、挿脱筐体をラック内に収納した状態に置いて、第２係合部を挿脱方向奥側と挿脱方向手前側との両側に係合させることができる。
これにより、ラック内の収納位置における挿脱筐体の安定性が一層向上する。
【００１６】
さらに、本発明は、前記第２係合部が前記下面から離れる方向に突出する突状であるとともに、前記手前側第１係合部および前記奥側第１係合部が第２係合部を収容可能な凹部であることを特徴とする。
【００１７】
第２係合部を下面から離れる方向に突出する突状とし、手前側第１係合部および奥側第１係合部を凹部とすることで、第２係合部が手前側第１係合部や奥側第１係合部に係合したことを確実に感知できる。
これにより、挿脱筐体が案内面に載置されたことを確実に感知でき、かつ、挿脱筐体が挿入完了されたことを確実に感知できる。
【００１８】
また、本発明は、前記第２係合部が転動部材であることを特徴とする。
【００１９】
第２係合部が転動するので、凹部に対して係合が容易になり、かつ、凹部を容易に乗り越えて係合解除も容易になる。
【００２０】
さらに、本発明は、前記転動部材の直径寸法よりも前記凹部の最小開口寸法が大きいことを特徴とする。
【００２１】
転動部材の直径寸法よりも凹部の最小開口寸法を大きくすることで、転動部材が凹部に係合した際に、挿脱筐体の下面が案内面に面接触して、挿脱筐体の安定性が一層良好になる。
【発明の効果】
【００２２】
本発明の通信装置の筐体構造によれば、手前側第１係合部と第２係合部とが係合することにより、案内面に対して挿脱筐体が挿入開始位置に載置されたことを作業者が感知できるという効果を有する。
加えて、奥側第１係合部と第２係合部とが係合することにより、挿脱筐体を案内面に沿って規定位置まで挿入完了させたことを作業者が感知できるという効果を有する。
【発明を実施するための最良の形態】
【００２３】
（第１実施形態）
図１および図２に示すように、第１実施形態に係る通信装置の筐体構造１０は、ラック１１と、ラック１１に設けられた略水平な上向きの案内部（案内面）１２と、案内部１２に沿って挿脱可能であるとともに通信回路が収納された挿脱筐体１３とを備える。
【００２４】
この通信装置の筐体構造１０は、案内部１２における挿脱筐体１３の挿脱方向手前側に設けられた手前側第１係合凹部（手前側第１係合部）１５と、案内部１２における挿脱筐体１３の挿脱方向奥側に設けられた奥側第１係合凹部（奥側第１係合部）１６と、挿脱筐体１３の底板（下面）３１における挿脱方向奥側に設けられて手前側第１係合凹部１５および奥側第１係合凹部１６に対して係合可能な奥側第２係合部（第２係合部）１８と、挿脱筐体１３の底板（下面）３１における挿脱方向手前側に設けられて手前側第１係合部１５に対して係合可能な手前側第２係合部（第２係合部）１９とを有している。
【００２５】
図１に示すように、ラック１１は、一例として、矩形状の底部２２を備え、底部２２の四隅から立ち上げた４本の支柱２３を備え、４本の支柱２３の上端に設けられた頂部２４を備え、４本の支柱２３に案内部１２が設けられている。
４本の支柱２３のうち、左側の前左支柱２３および右側の前右支柱２３に、それぞれ取付孔２３Ａが形成されている。
左側の前左支柱２３および右側の前右支柱２３の裏面に、取付孔２３Ａに対して同軸上にナット（図示せず）が設けられている。
【００２６】
案内部１２は、４本の支柱２３のうち、左側の前左支柱２３および左側の後左支柱２３に渡って架け渡された左案内レール２６と、４本の支柱２３のうち、右側の前右支柱２３および右側の後右支柱２３に渡って架け渡された右案内レール２７とからなる。
左案内レール２６および右案内レール２７は、左右対称の部材であり、以下、左案内レール２６について説明して右案内レール２７の説明は省略する。
【００２７】
左案内レール２６は、立て壁２８および水平面２９で断面略Ｌ字状に形成され、水平面２９における挿脱筐体１３の挿脱方向手前側に手前側第１係合凹部１５が設けられ、水平面２９における挿脱筐体１３の挿脱方向奥側に奥側第１係合凹部１６が設けられている。
【００２８】
手前側第１係合凹部１５は、開口径寸法（最小開口寸法）Ｄ１に形成された貫通孔である。
奥側第１係合凹部１６は、手前側第１係合凹部１５と同様に、開口径寸法（最小開口寸法）Ｄ１に形成された貫通孔である。
【００２９】
なお、手前側第１係合凹部１５や奥側第１係合凹部１６の貫通孔は、真円に限定せず、例えば、四角などの他の形状に形成することも可能である。
また、手前側第１係合凹部１５や奥側第１係合凹部１６は、貫通孔に限らないで、例えば凹みとすることも可能である。
【００３０】
挿脱筐体１３は、携帯電話の基地局として用いられる通信回路を収納する筐体である。
この挿脱筐体１３は、手前側１３Ａが開口され、底板３１、上板３２、左右の側板３３および奥板３４で略箱状に形成された部材であり、左右の側板３３の手前側端部に、それぞれ左右のリブ１３Ｂが設けられ、左右のリブ１３Ｂに取付孔１３Ｃが形成されている。
取付孔１３Ｃおよび取付孔２３Ａにボルト３５を差し込み、取付孔２３Ａから突出したボルト３５のねじ部がナット（図示せず）にねじ結合される。
【００３１】
図１および図２に示すように、底板３１は、左側において、挿脱方向奥側に形成された奥側凹部３６と、挿脱方向手前側に形成された手前側凹部３７とが形成されている。
さらに、底板３１は、左側と同様に、右側において、挿脱方向奥側に形成された奥側凹部３６と、挿脱方向手前側に形成された手前側凹部３７とが形成されている。
奥側凹部３６に奥側第２係合部１８が設けられ、手前側凹部３７に手前側第２係合部１９が設けられている。
【００３２】
図３に示すように、奥側第２係合部１８は、ホルダー３８にボール３９が転動自在に支持され、ボール３９の下部ボール３９Ａがホルダー３８から下方にＨ１寸法だけ突出している転動部材である。
ボール３９は、例えば、金属製や樹脂製のものが用いられる。
【００３３】
ホルダー３８の上部にねじ部４０が立設され、ねじ部４０が取付孔３６Ｂから上方に突出し、突出したねじ部４０にナット４１がねじ結合することで、奥側凹部３６に奥側第２係合部１８が設けられる。
取付孔３６Ｂは、奥側凹部３６の頂部３６Ａに形成された孔である。
【００３４】
ホルダー３８の下面３８Ａは、底板３１の下面３１Ａと面一に配置されている。よって、ボール３９の下部ボール３９Ａは底板３１の下面３１Ａから下方に離れる方向にＨ１寸法だけ突出している突状部である。
下部ボール３９Ａは、上部３９Ｂが最大径（直径寸法）Ｄ２寸法となる略半球状の部位である。
【００３５】
下部ボール３９Ａの最大径Ｄ２より、前述した手前側第１係合凹部１５および奥側第１係合凹部１６の開口径寸法Ｄ１が大きく設定されている。
なお、奥側第２係合部１８は、ボール３９に代えて、例えばローラを用いることも可能である。
【００３６】
一方、手前側第２係合部１９は、図２に示すように、ホルダー４３にボール４４が転動自在に支持され、ボール３９の下部ボール３９Ａがホルダー３８から下方にＨ１寸法だけ突出している転動部材である。
ボール４４は、例えば、金属製や樹脂製のものが用いられる。
【００３７】
ここで、ホルダー４３は、奥側第２係合部１８のホルダー３８と同一部材であり、ボール４４は、奥側第２係合部１８のボール３９と同一部材である。
ホルダー４３の下面４３Ａは、底板３１の下面３１Ａと面一に配置されている。よって、ボール４４の下部ボール４４Ａは底板３１の下面３１Ａから下方に離れる方向にＨ１寸法だけ突出している突状部である。
【００３８】
また、下部ボール４４Ａの最大径Ｄ２より、手前側第１係合凹部１５および奥側第１係合凹部１６の開口径寸法Ｄ１が大きく設定されている。
なお、手前側第２係合部１９は、ボール４４に代えて、例えばローラを用いることも可能である。
【００３９】
下部ボール３９Ａおよび下部ボール４４Ａの最大径Ｄ２より、手前側第１係合凹部１５および奥側第１係合凹部１６の開口径寸法Ｄ１が大きく設定されている。よって、下部ボール３９Ａが、手前側第１係合凹部１５や奥側第１係合凹部１６に完全に入り込む（係合する）。
【００４０】
また、下部ボール４４Ａが、手前側第１係合凹部１５に完全に入り込む（係合する）。
よって、挿脱筐体１３を規定位置まで挿入した状態において、挿脱筐体１３の下面３１Ａが左案内レール２６の水平面２９に面接触する。
【００４１】
つぎに、第１実施形態に係る通信装置の筐体構造１０の挿脱筐体１３をラック１１に挿入する例を図４（Ａ）〜（Ｄ）に基づいて説明する。
図４（Ａ）に示すように、作業者は挿脱筐体１３を手で持って、挿脱筐体１３の奥板３４をラック１１の手前側に臨ませ、その後、挿脱筐体１３を左案内レール２６の高さまで持ち上げる。
【００４２】
図４（Ｂ）に示すように、作業者は、挿脱筐体１３に備えた奥側第２係合部１８を左案内レール２６の挿脱方向手前側端部２９Ａに載せる。
具体的には、奥側第２係合部１８に備えたボール３９の下部ボール３９Ａを、左案内レール２６の挿脱方向手前側端部２９Ａに載せる。
【００４３】
この状態で、挿脱筐体１３を矢印Ａの方向に挿入する。挿脱筐体１３の下面３１Ａが左案内レール２６と非接触状態に保たれ、かつ、奥側第２係合部１８のボール３９が転動するので、挿脱筐体１３が挿脱方向奥側端部２９Ｂの方向に円滑に挿入される。
ボール３９の下部ボール３９Ａが手前側第１係合凹部１５に到達すると、ボール３９の下部ボール３９Ａが矢印Ｂのように手前側第１係合凹部１５に入り込む。
これにより、作業者は、挿脱筐体１３が左案内レール２６に載置されたことを感知できる。
【００４４】
図４（Ｃ）に示すように、挿脱筐体１３を矢印Ａの方向に継続させて挿入する。ボール３９の下部ボール３９Ａが矢印Ｃのように手前側第１係合凹部１５から抜け出して、左案内レール２６に再び載る。
挿脱筐体１３が左案内レール２６の挿脱方向奥側端部２９Ｂに向けて挿入される。
【００４５】
ここで、挿脱筐体１３の下面３１Ａが左案内レール２６と非接触状態に保たれ、かつ、奥側第２係合部１８のボール３９が転動する。これにより、挿脱筐体１３が挿脱方向奥側端部２９Ｂに向けて円滑に挿入される。
【００４６】
図４（Ｄ）に示すように、ボール３９の下部ボール３９Ａが規定位置（収納位置）に到達すると、ボール３９の下部ボール３９Ａが奥側第１係合凹部１６に入り込む。
同時に、手前側第２係合部１９に備えたボール４４の下部ボール４４Ａが手前側第１係合凹部１５に到達して、ボール４４の下部ボール４４Ａが手前側第１係合凹部１５に入り込む。
これにより、作業者は、挿脱筐体１３が規定位置まで挿入完了されたことを感知できる。
【００４７】
また、下部ボール３９Ａが奥側第１係合凹部１６に入り込み、下部ボール４４Ａが手前側第１係合凹部１５に入り込むことで、ラック１１内の規定位置における挿脱筐体の安定性が一層向上する。
【００４８】
さらに、下部ボール３９Ａ，４４ａを下面３１Ａから離れる方向に突出する突状とし、手前側第１係合凹部１５および奥側第１係合凹部１６をそれぞれ貫通孔（凹部）とした。
よって、下部ボール３９Ａ，４４ａを手前側第１係合凹部１５および奥側第１係合凹部１６に入り込んだことを確実に感知できる。
これにより、挿脱筐体１３が左案内レール２６の水平面２９に載置されたことを確実に感知でき、かつ、挿脱筐体１３が規定位置に挿入完了されたことを確実に感知できる。
【００４９】
加えて、下部ボール３９Ａ，４４ａが転動するので、手前側第１係合凹部１５および奥側第１係合凹部１６に入り込むこと（係合）が容易になり、かつ、手前側第１係合凹部１５および奥側第１係合凹部１６を容易に乗り越えて抜け出すことができる。
【００５０】
ここで、下部ボール３９Ａは、奥側第１係合凹部１６に完全に入り込み、下部ボール４４Ａは、手前側第１係合凹部１５に完全に入り込む。
よって、挿脱筐体１３を規定位置まで挿入した状態において、挿脱筐体１３の下面３１Ａが左案内レール２６の水平面２９に面接触して、挿脱筐体１３の安定性が良好になる。
【００５１】
挿脱筐体１３を規定位置まで挿入した後、図１に示す取付孔１３Ｃおよび取付孔２３Ａにボルト３５を差し込む。
取付孔２３Ａから突出したボルト３５のねじ部をナット（図示せず）にねじ結合する。これにより、挿脱筐体１３がラック１１に固定される。
【００５２】
（変形例）
第１実施形態では、手前側第１係合凹部１５および奥側第１係合凹部１６の開口径寸法Ｄ１を下部ボール３９Ａの最大径Ｄ２より大きく設定した例について説明したが、これに限らないで、図５に示すように手前側第１係合凹部１５および奥側第１係合凹部１６に代えて手前側第１係合凹部５５および奥側第１係合凹部５６を用いることも可能である。
手前側第１係合凹部５５および奥側第１係合凹部５６は、それぞれの開口径寸法がＤ３である。
【００５３】
開口径寸法Ｄ３は、下部ボール３９Ａや下部ボール４４Ａの最大径Ｄ２より小さく設定されている。これにより、下部ボール３９Ａは、手前側第１係合凹部５５および奥側第１係合凹部５６に一部のみが入り込む。
また、下部ボール４４Ａは、手前側第１係合凹部５５に一部のみが入り込む。
【００５４】
よって、挿脱筐体１３を規定位置まで挿入した状態において、挿脱筐体１３の下面３１Ａが左案内レール２６の水平面２９面接触しないで距離Ｈ２だけ浮いた状態に保たれる。
これにより、変形例によれば、下部ボール３９Ａが手前側第１係合凹部５５から容易に抜け出して、挿脱筐体１３を挿脱方向奥側端部２９Ｂの方向に容易に挿入できる。
【００５５】
つぎに、第２〜第４実施形態に係る通信装置の筐体構造を図６〜図８に基づいて説明する。
（第２実施形態）
図６に示す第２実施形態に係る通信装置の筐体構造６０は、第２係合部として奥側第２係合部１８のみを備えたもので、その他の構成は第１実施形態に係る通信装置の筐体構造１０と同じである。
【００５６】
第２係合部として奥側第２係合部１８を備えることで、奥側第２係合部１８に備えたボール３９の下部ボール３９Ａが手前側第１係合凹部１５に到達すると、ボール３９の下部ボール３９Ａが手前側第１係合凹部１５に入り込む。
これにより、作業者は、挿脱筐体１３が左案内レール２６に載置されたことを感知できる。
【００５７】
さらに、ボール３９の下部ボール３９Ａが規定位置（収納位置）に到達すると、ボール３９の下部ボール３９Ａが奥側第１係合凹部１６に入り込む。
これにより、作業者は、挿脱筐体１３が規定位置まで挿入完了されたことを感知できる。
【００５８】
すなわち、第２実施形態に係る通信装置の筐体構造６０によれば、第１実施形態に係る通信装置の筐体構造１０と同様の効果が得られる。
【００５９】
（第３実施形態）
図７に示す第３実施形態に係る通信装置の筐体構造７０は、挿脱筐体１３の下面３１Ａに備えた奥前側第２係合部７１および手前側第２係合部７２を貫通孔（凹部）とし、左案内レール２６の水平面２９に備えた手前側第１係合部７３および奥側第１係合部７４を突状としたもので、その他の構成は第１実施形態に係る通信装置の筐体構造１０と同じである。
【００６０】
手前側第２係合部７１および奥側第２係合部７２の凹部は、底板３１に形成された貫通孔である。
手前側第１係合部７３および奥側第１係合部７４の突状は、左案内レール２６の水平面２９にボール７６，７７を転動自在に設け、ボール７６，７７の上部ボール７６Ａ，７７Ａを水平面２９から突出させたものである。
【００６１】
第３実施形態に係る通信装置の筐体構造７０によれば、奥側第２係合部７１が手前側第１係合部７３に備えた上部ボール７６Ａに到達すると、奥側第２係合部７１が上部ボール７６Ａに嵌合（係合）する。
これにより、作業者は、挿脱筐体１３が左案内レール２６に載置されたことを感知できる。
【００６２】
さらに、奥側第２係合部７１が奥側第１係合部７７に備えた上部ボール７７Ａに到達すると（すなわち、規定位置に到達すると）、奥側第２係合部７１が上部ボール７７Ａに嵌合する。
同時に、手前側第２係合部７２が手前側第１係合部７３に備えた上部ボール７６Ａに到達して、手前側第２係合部７２が上部ボール７６Ａに嵌合（係合）する。
これにより、作業者は、挿脱筐体１３が規定位置まで挿入完了されたことを感知できる。
【００６３】
すなわち、第３実施形態に係る通信装置の筐体構造７０によれば、第１実施形態に係る通信装置の筐体構造１０と同様の効果が得られる。
なお、第３実施形態では、手前側第１係合部７３および奥側第１係合部７４にボール７６，７７を備えた例について説明したが、これに限らないで、例えばローラなどを用いることも可能である。
【００６４】
（第４実施形態）
図８に示す第４実施形態に係る通信装置の筐体構造８０は、手前側第１係合部として手前側第１係合凹部８１を備え、奥側第１係合部として奥側第１係合凹部８２を備え、第２係合部として奥側第２係合部８３および手前側第２係合部８４を備えたもので、その他の構成は第１実施形態に係る通信装置の筐体構造１０と同じである。
【００６５】
手前側第１係合凹部８１は、左案内レール２６の水平面２９において、挿脱方向手前側に開口径寸法（最小開口寸法）Ｄ４に形成された貫通孔である。
奥側第１係合凹部８２は、左案内レール２６の水平面２９において、挿脱方向奥側に開口径寸法（最小開口寸法）Ｄ５に形成された貫通孔である。
【００６６】
開口径寸法Ｄ４、Ｄ５の関係は、Ｄ４＜Ｄ５が成立する。
また、水平面２９は未塗装である。
なお、手前側第１係合凹部８１や奥側第１係合凹部８２は、貫通孔に限らないで凹みなどを用いることも可能である。
【００６７】
奥側第２係合部８３は、ローラ８６が転動自在に支持され、ローラ８６の下部ローラ８６Ａが下面３１Ａから下方に突出している転動部材である。
下部ローラ８６Ａは、上部８６Ｂが最大径Ｄ６寸法となる略半球状の部位である。
【００６８】
手前側第２係合部８４は、ローラ８７が転動自在に支持され、ローラ８７の下部ローラ８７Ａが下面３１Ａから下方に突出している転動部材である。
下部ローラ８７Ａは、上部８７Ｂが最大径Ｄ７寸法となる略半球状の部位である。
【００６９】
最大径Ｄ６、Ｄ７の関係は、Ｄ６＞Ｄ７が成立する。
さらに、開口径寸法Ｄ４、Ｄ５および最大径Ｄ６、Ｄ７は以下の関係が成立する。
Ｄ７＜Ｄ４＜Ｄ６＜Ｄ５
また、下面３１Ａは未塗装である。
なお、奥側第２係合部８３や手前側第２係合部８４は、ローラ８６，８７に限らないで、ボールなどを用いることも可能である。
【００７０】
第４実施形態に係る通信装置の筐体構造８０によれば、図９（Ａ）に示すように、奥側第２係合部８３に備えたローラ８６の下部ローラ８６Ａが手前側第１係合凹部８１に到達すると、ローラ８６の下部ローラ８６Ａが手前側第１係合凹部８１に入り込む。
これにより、作業者は、挿脱筐体１３が左案内レール２６に載置されたことを感知できる。
【００７１】
下部ローラ８６Ａが手前側第１係合凹部８１に入り込んだ状態で、挿脱筐体１３を矢印Ａの方向に引き続き挿入すると、下部ローラ８６Ａが手前側第１係合凹部８１から抜け出して、挿脱筐体１３が挿脱方向奥側端部２９Ｂの方向に挿入される。
【００７２】
ここで、下部ローラ８６Ａの最大径Ｄ６は、手前側第１係合凹部８１の開口径寸法Ｄ４と比較して大きい。よって、下部ローラ８６Ａは、手前側第１係合凹部８１に完全に入り込まない。
これにより、下部ローラ８６Ａが手前側第１係合凹部８１から容易に抜け出して、挿脱筐体１３を挿脱方向奥側端部２９Ｂの方向に容易に挿入できる。
【００７３】
そして、図９（Ｂ）に示すように、ローラ８６の下部ローラ８６Ａが規定位置（収納位置）に到達すると、ローラ８６の下部ローラ８６Ａが奥側第１係合凹部８２に入り込む。
同時に、手前側第２係合部８７に備えたローラ８７の下部ローラ８７Ａが手前側第１係合凹部８１に到達して、ローラ８７の下部ローラ８７Ａが手前側第１係合凹部８１に入り込む。
これにより、作業者は、挿脱筐体１３が規定位置まで挿入完了されたことを感知できる。
【００７４】
ここで、下部ローラ８６Ａの最大径Ｄ６は、奥側第２係合凹部８２の開口径寸法Ｄ５と比較して小さい。よって、下部ローラ８６Ａは、奥側第２係合凹部８２に完全に入り込む。
また、下部ローラ８７Ａの最大径Ｄ７は、手前側第１係合凹部８１の開口径寸法Ｄ４と比較して小さい。よって、下部ローラ８７Ａは、手前側第１係合凹部８１に完全に入り込む。
これにより、左案内レール２６の水平面２９に、挿脱筐体１３の下面３１Ａが面接触する。
【００７５】
このような通信装置の筐体構造８０によれば、水平面２９および下面３１Ａは未塗装であるので、接地（グランド）が良好になり、電気的特性が向上する。
一般に、通信装置の場合、感度および同期等の性能に対する要求が厳しい。
特に、通信設備の一部として用いられる基地局の場合、ノイズ等の影響により性能が劣化すると、多くの通信中の移動局に対して一斉に影響を与えるため、要求される性能は更に厳しいものとなる。
【００７６】
通信装置の筐体構造において、このような要求を満足させるためには、通信回路を搭載した基板が収納された挿脱筐体と、ラックとの導通面積を可能な限り広くして、良好な接地を得ることが望ましい。
従って、前述した第４実施形態のように、作業者は、挿脱筐体１３が左案内レール２６に載置したことや、挿脱筐体１３が規定位置まで挿入完了されたことを作業者が感知できるとともに、下部ローラ８６Ａ、８７Ａにより挿脱筐体１３の挿脱抵抗を緩和でき、かつ、接地面にである左案内レール２６の水平面２９に対して、挿脱筐体１３の下面３１Ａが大面積で面接触できる構成は極めて重要、かつ、効果的である。
さらに、第４実施形態に係る通信装置の筐体構造８０によれば、第１実施形態に係る通信装置の筐体構造１０と同様の効果が得られる。
【００７７】
なお、前記実施形態では、案内面として左右の案内レール２６，２７を例示したが、これに限らないで、例えば、単なる棚などの他の案内面を用いることも可能である。
【００７８】
また、本発明は、図１０に示す通信装置の筐体構造９０Ａ、９０Ｂ、９０Ｃを含むものである。
すなわち、図１０（Ａ）に示す通信装置の筐体構造９０Ａは、挿脱筐体１３に奥側第２係合部１８のみが設けられているとともに、ラック１１Ａの左案内レール２６に手前側第１係合凹部１５のみが設けられている。
この通信装置の筐体構造９０Ａによれば、挿脱筐体１３が左案内レール２６に載置されたことを作業者が感知できる。
【００７９】
また、図１０（Ｂ）に示す通信装置の筐体構造９０Ｂは、挿脱筐体１３に手前側第２係合部１９のみが設けられているとともに、ラック１１Ａの左案内レール２６に手前側第１係合凹部１５のみが設けられている。
この通信装置の筐体構造９０Ｂによれば、挿脱筐体１３が規定位置まで挿入完了されたことを作業者が感知できる。
【００８０】
そして、図１０（Ｃ）に示す通信装置の筐体構造９０Ｃは、挿脱筐体１３に奥側第２係合部１８のみが設けられているとともに、ラック１１Ｂの左案内レール２６に奥側第１係合凹部１６のみが設けられている。
この通信装置の筐体構造９０Ｃにおいても、挿脱筐体１３が規定位置まで挿入完了されたことを作業者が感知できる。
【００８１】
また、前述した各実施形態で例示したラック１１、案内部１２、挿脱筐体１３、手前側第１係合凹部１５，８１、奥側第１係合凹部１６，８２、奥側第２係合部１８，７１，８３、手前側第２係合部１９，７２，８４、底板３１、手前側第１係合部７３、奥側第１係合部７４などの形状や構成は、これに限定するものではなく、適宜変更が可能である。
【産業上の利用可能性】
【００８２】
本発明は、ラックの案内面に沿って挿脱可能であるとともに通信回路が収納された挿脱筐体とを備えた通信装置の筐体構造への適用に好適である。
【図面の簡単な説明】
【００８３】
【図１】本発明に係る通信装置の筐体構造（第１実施形態）を示す平面図である。
【図２】第１実施形に係る通信装置の筐体構造を示す断面図である。
【図３】第１実施形に係る通信装置の筐体構造の要部を示す断面図である。
【図４】第１実施形に係る通信装置の筐体構造の作用を説明する図である。
【図５】第１実施形に係る通信装置の筐体構造の変形例を示す断面図である。
【図６】本発明に係る通信装置の筐体構造（第２実施形態）を示す断面図である。
【図７】本発明に係る通信装置の筐体構造（第３実施形態）を示す断面図である。
【図８】本発明に係る通信装置の筐体構造（第４実施形態）を示す断面図である。
【図９】第４実施形に係る通信装置の筐体構造の作用を説明する図である。
【図１０】本発明の変形例を示す模式図である。
【図１１】従来の通信装置の筐体構造を示す斜視図である。
【符号の説明】
【００８４】
１０，６０，７０，８０，９０Ａ，９０Ｂ，９０Ｃ通信装置の筐体構造
１１，１１Ａ，１１Ｂ  ラック
１２  案内部（案内面）
１３  挿脱筐体
１５，８１  手前側第１係合凹部（手前側第１係合部）
１６，８２  奥側第１係合凹部（奥側第１係合部）
１８，７１，８３  奥側第２係合部（第２係合部）
１９，７２，８４  手前側第２係合部（第２係合部）
３１  底板（下面）
３１Ａ  挿脱筐体の下面
７３  手前側第１係合部
７４  奥側第１係合部
Ｄ１，Ｄ３  開口径寸法（最小開口寸法）
Ｄ２  最大径（直径寸法）
【図１】
2007258231.tif 000003
【図２】
2007258231.tif 000004
【図３】
2007258231.tif 000005
【図４】
2007258231.tif 000006
【図５】
2007258231.tif 000007
【図６】
2007258231.tif 000008
【図７】
2007258231.tif 000009
【図８】
2007258231.tif 000010
【図９】
2007258231.tif 000011
【図１０】
2007258231.tif 000012
【図１１】
2007258231.tif 000013